【手続補正書】
【提出日】平成27年7月3日(2015.7.3)
【手続補正１】
【補正対象書類名】特許請求の範囲
【補正対象項目名】全文
【補正方法】変更
【補正の内容】
【特許請求の範囲】
【請求項１】
患者に適用される脈拍数範囲を含むリハビリテーション情報を受信するリハビリテーション情報受信部と、
前記リハビリテーション情報に基づいて、前記脈拍数範囲を設定する脈拍数範囲設定部と、
前記患者の脈拍数を計測する脈拍数計測部と、
前記脈拍数範囲、及び、計測された前記脈拍数を表示する表示部と、を有することを特徴とする生体情報計測装置。
【請求項２】
請求項１に記載の生体情報計測装置において、
前記脈拍数計測部によって計測された前記脈拍数、及び、当該脈拍数が計測された計測時刻を含む脈拍計測情報を記憶する記憶部と、
前記脈拍計測情報を送信する脈拍計測情報送信部と、を有することを特徴とする生体情報計測装置。
【請求項３】
請求項１又は請求項２に記載の生体情報計測装置において、
前記脈拍数計測部によって計測された前記脈拍数が前記脈拍数範囲の範囲内である脈拍数範囲計測時間を算出する脈拍数範囲計測時間算出部を有し、
前記表示部は、前記脈拍数範囲計測時間を表示することを特徴とする生体情報計測装置。
【請求項４】
請求項３に記載の生体情報計測装置において、
前記脈拍数範囲計測時間算出部は、前記脈拍数計測部によって計測された前記脈拍数が前記脈拍数範囲の上限値から所定範囲内である上方範囲計測時間を算出し、
前記表示部は、前記上方範囲計測時間を表示することを特徴とする生体情報計測装置。
【請求項５】
請求項３又は請求項４に記載の生体情報計測装置において、
前記脈拍数範囲計測時間が第１の時間に到達した場合に、前記第１の時間に到達した旨を通知する通知部を有することを特徴とする生体情報計測装置。
【請求項６】
請求項５に記載の生体情報計測装置において、
前記脈拍数の計測を開始してからの経過時間を計測する経過時間計測部を有し、
前記通知部は、前記経過時間が前記第１の時間よりも長い第２の時間に到達した場合に、前記第２の時間に到達した旨を通知することを特徴とする生体情報計測装置。
【請求項７】
患者に適用する脈拍数範囲を含むリハビリテーション情報を受信するリハビリテーション情報受信部と、
前記リハビリテーション情報を外部から参照可能な状態にするリハビリテーション情報公開部と、
前記患者から計測された脈拍数と当該脈拍数が計測された計測時刻とを含む脈拍計測情報を受信する脈拍計測情報受信部と、
前記脈拍計測情報に基づいて、前記計測された脈拍数が前記脈拍数範囲の範囲内である脈拍数範囲計測時間に関するドキュメント情報を生成するドキュメント情報生成部と、
前記ドキュメント情報を外部から閲覧可能な状態にするドキュメント情報公開部と、を有することを特徴とするサーバー。
【請求項８】
サーバーと指導者用端末と患者用端末と生体情報計測装置とを用いた遠隔リハビリテーション方法であって、
前記指導者用端末が、患者に適用する脈拍数範囲を含むリハビリテーション情報を前記サーバーに送信することと、
前記サーバーが、前記リハビリテーション情報を受信することと、
前記サーバーが、前記リハビリテーション情報を前記患者用端末から取得可能にすることと、
前記患者用端末が、前記サーバーから前記リハビリテーション情報を取得することと、
前記患者用端末が、前記リハビリテーション情報を前記生体情報計測装置に送信することと、
前記生体情報計測装置が、前記リハビリテーション情報を受信することと、
前記生体情報計測装置が、前記リハビリテーション情報に基づいて、前記脈拍数範囲を設定することと、
前記生体情報計測装置が、前記患者の脈拍数を計測することと、
前記生体情報計測装置が、計測された脈拍数と当該脈拍数が計測された計測時刻とを含む脈拍計測情報を記憶することと、
前記生体情報計測装置が、前記脈拍計測情報を前記患者用端末に送信することと、
前記患者用端末が、前記脈拍計測情報を受信することと、
前記患者用端末が、前記脈拍計測情報を前記サーバーに送信することと、
前記サーバーが、前記脈拍計測情報を受信することと、
前記サーバーが、前記脈拍計測情報に基づいて、前記計測された脈拍数が前記脈拍数範囲の範囲内である脈拍数範囲計測時間に関するドキュメント情報を生成することと、
前記サーバーが、前記ドキュメント情報を前記指導者用端末から閲覧可能にすることと、を含むことを特徴とする遠隔リハビリテーション方法。
【請求項９】
情報処理装置により実行され、患者のリハビリテーションの状態を把握可能なドキュメント情報を生成する情報生成方法であって、
前記患者に適用される脈拍数範囲を含むリハビリテーション情報を受信し、
前記患者から計測された脈拍数、及び、当該脈拍数が計測された計測時刻を含む脈拍計測情報を受信し、
前記脈拍計測情報に基づいて、前記計測された脈拍数が前記脈拍数範囲の範囲内である脈拍数範囲計測時間に関するドキュメント情報を生成することを特徴とする情報生成方法。
【請求項１０】
情報処理装置により実行され、患者のリハビリテーションの状態を把握可能なドキュメント情報を生成する情報生成プログラムであって、
前記情報処理装置に、
前記患者に適用される脈拍数範囲を含むリハビリテーション情報を受信させ、
前記患者から計測された脈拍数、及び、当該脈拍数が計測された計測時刻を含む脈拍計測情報を受信させ、
前記脈拍計測情報に基づいて、前記計測された脈拍数が前記脈拍数範囲の範囲内である脈拍数範囲計測時間に関するドキュメント情報を生成させることを特徴とする情報生成プログラム。
【請求項１１】
それぞれ互いにネットワーク接続される指導者用端末、サーバー及び患者用端末と、
前記患者用端末と情報を送受信可能に接続される生体情報計測装置と、を備え、
前記指導者用端末は、患者に適用する脈拍数範囲を含むリハビリテーション情報を前記サーバーに送信し、
前記サーバーは、受信された前記リハビリテーション情報を前記患者用端末に送信し、
前記患者用端末は、受信された前記リハビリテーション情報を前記生体情報計測装置に送信し、
前記生体情報計測装置は、受信された前記リハビリテーション情報に基づいて、前記脈拍数範囲を設定するとともに、前記患者から計測された脈拍数と、前記脈拍数が計測された計測時刻とを含む脈拍計測情報を前記患者用端末に送信し、
前記患者用端末は、受信された前記脈拍計測情報を前記サーバーに送信し、
前記サーバーは、受信された前記脈拍計測情報に基づく前記脈拍数が前記脈拍数範囲の範囲内である脈拍数範囲計測時間に関するドキュメント情報を、前記指導者用端末に送信することを特徴とする遠隔リハビリテーションシステム。
【手続補正２】
【補正対象書類名】明細書
【補正対象項目名】発明の名称
【補正方法】変更
【補正の内容】
【発明の名称】生体情報計測装置、サーバー、遠隔リハビリテーション方法、情報生成方法、情報生成プログラム、及び遠隔リハビリテーションシステム
【手続補正３】
【補正対象書類名】明細書
【補正対象項目名】０００１
【補正方法】変更
【補正の内容】
【０００１】
本発明は、生体情報計測装置、サーバー、遠隔リハビリテーション方法、情報生成方法、情報生成プログラム、及び遠隔リハビリテーションシステムに関する。
【手続補正４】
【補正対象書類名】明細書
【補正対象項目名】０００９
【補正方法】変更
【補正の内容】
【０００９】
本発明は、このような事情に鑑みてなされたものであり、患者にとって利便性がよく、かつ、患者の体調に応じた運動リハビリテーションが可能な生体情報計測装置、サーバー、遠隔リハビリテーション方法、情報生成方法、情報生成プログラム、及び遠隔リハビリテーションシステムを実現することを目的とする。